(57)【要約】      （修正有）【課題】簡単な構成の部品を、点数を低減させて備えた時計の機械式年間カレンダーを提供する。【解決手段】機械式年間カレンダーは、２４時間毎に一度、シーソー旋回軸２８回りに旋回可能に駆動可能なシフトシーソー５を備え、シフトシーソーには、シフトシーソー旋回軸から半径方向に間隔をおいて、爪アーム３３が、シフト爪軸３２周りに旋回可能に連結されている。シフト爪軸から間隔をおいて爪アームに配置されたシフト爪８は、３１個の歯を備える日付車１０の歯と係合する。日付車と同心で接続された月末ディスク１６は、半径方向で周を描く円形アウトライン３４を備える。円形アウトラインには、第２旋回軸３５周りに旋回可能に支承されたフィーラーアーム１８のフィーラー先端１７が、予めばね弾性的に付勢を受けた状態で接触する。【選択図】図１
2018136302.tif 000002
【特許請求の範囲】
【請求項１】
時計の機械式年間カレンダーであって：
２４時間毎に一度、シーソー旋回軸（２８）周りに旋回可能に駆動可能なシフトシーソー（５）であって、該シフトシーソー（５）には、前記シーソー旋回軸（２８）から半径方向に間隔をおいて、爪アーム（３３）が、シフト爪軸（３２）回りに旋回可能に連結されたシフトシーソー（５）と；
前記シフト爪軸（３２）から間隔をおいて前記爪アーム（３３）に配置されたシフト爪（８）と、を備え、該シフト爪（８）は、予めばね弾性的に付勢を受けた状態で、３１個の歯、又は３１の整数倍の個数の歯を備える日付車（１０）の歯と係合し、また前記日付車（１０）は、前記シフトシーソー（５）の旋回運動の際に、前記シフト爪（８）により、１日又は２日に対応する１歯分又は２歯分だけ所定の回転方向に回転可能に駆動可能であり、前記日付車（１０）により日付表示装置を駆動可能であり；更に、
前記日付車（１０）と同心で接続された月末ディスク（１６）を備え、該月末ディスク（１６）は、半径方向で周を描く円形アウトライン（３４）を備え、該円形アウトライン（３４）には、第２旋回軸（３５）周りに旋回可能に支承されたフィーラーアーム（１８）のフィーラー先端（１７）が、予めばね弾性的に付勢を受けた状態で接触し、前記フィーラーアーム（１８）の旋回運動により、前記日付車（１０）を１日又は２日先送りするための前記シフトシーソー（５）の旋回角度を決定する装置を、切り替え可能である機械式年間カレンダーにおいて；
前記月末ディスク（１６）の前記円形アウトライン（３４）が、半径方向内側に向けられたフィーラーギャップ（１５）を備え、該フィーラーギャップ（１５）は、周方向に一定の深度で前記日付車（１０）の２歯分に亘って延在し、その後前記日付車（１０）の所定の回転方向とは逆方向に、ランプ状に前記円形アウトライン（３４）へ立ち上がることを特徴とする機械式年間カレンダー。
【請求項２】
請求項１に記載の機械式年間カレンダーであって、戻りロックばね（１３）は、前記日付車（１０）において、前記日付車（１０）の所定の回転方向とは逆方向の回転をロックすることを特徴とする機械式年間カレンダー。
【請求項３】
請求項１又は２に記載の機械式年間カレンダーであって、前記日付車（１０）の１日又は２日の先送りを決定する装置は、月センシングディスク（７）を備え、該月センシングディスク（７）は、１年毎に１２ステップで一回転するよう回転可能に駆動可能であり、また、前記月センシングディスク（７）の半径方向に周を描く月アウトライン（２９）は、長い月及び短い月に応じて、より大きな直径及びより小さな直径（２７）を備え、前記シフトシーソー（５）のフィーラー（２６）は、ばね力で前記月アウトライン（２９）に対して付勢され、及び２４時間毎に一度、前記月アウトライン（２９）から外れることが可能であることを特徴とする機械式年間カレンダー。
【請求項４】
請求項３に記載の機械式年間カレンダーであって、前記フィーラーアーム（１８）は月シフト爪（２０）を備え、該月シフト爪（２０）は、同心で前記月センシングディスク（７）に接続され１２個の歯を備える月ドライブ（２２）の歯間に、係合可能であることを特徴とする機械式年間カレンダー。
【請求項５】
請求項４に記載の機械式年間カレンダーであって、月デテント（２４）は、半径方向内側に向かって、ばね弾性的に前記月ドライブ（２２）の歯間に係合することを特徴とする機械式年間カレンダー。
【請求項６】
請求項３〜５の何れか一項に記載の機械式年間カレンダーであって、前記シフトシーソー（５）は、フィーラーカム（３６）を備え、該フィーラーカム（３６）は、前記フィーラー先端（１７）が前記月末ディスク（１６）の前記円形アウトライン（３４）に当接すると、前記フィーラーアーム（１８）のストッパ（３７）に当接し、それにより前記フィーラー（２６）が、前記月センシングディスク（７）の前記月アウトライン（２９）の小直径（２７）である短い月の領域に半径方向に沈むことが妨げられ、前記フィーラー先端（１７）が前記フィーラーギャップ（１５）に沈められている場合、前記フィーラーカム（３６）は前記ストッパ（３７）とは当接せず、及び前記フィーラー（２６）は、前記月センシングディスク（７）の前記月アウトライン（２９）の前記小直径（２７）である短い月の領域に半径方向に沈むことが可能であることを特徴とする機械式年間カレンダー。
【発明の詳細な説明】
【技術分野】
【０００１】
本発明は、時計の機械式年間カレンダーに関する。機械式年間カレンダーは、２４時間毎に一度、シーソー旋回軸周りに旋回可能に駆動可能なシフトシーソーを備える。シフトシーソーには、シーソー旋回軸から半径方向に間隔をおいて、爪アームが、シフト爪軸回りに旋回可能に連結されている。更に機械式年間カレンダーは、シフト爪軸から間隔をおいて爪アームに配置されたシフト爪を備える。シフト爪は、予めばね弾性的に付勢を受けた状態で、３１個の歯、又は３１の整数倍の個数の歯を備える日付車の歯と係合する。日付車は、シフトシーソーの旋回運動の際に、シフト爪により、１日又は２日に対応する１歯分又は２歯分だけ所定の回転方向に回転可能に駆動可能である。日付車により、日付表示装置を駆動可能である。更に機械式年間カレンダーは、日付車と同心で接続された月末ディスクを備える。月末ディスクは、半径方向で周を描く円形アウトラインを備える。円形アウトラインには、第２旋回軸周りに旋回可能に支承されたフィーラーアームのフィーラー先端が、予めばね弾性的に付勢を受けた状態で接触する。フィーラーアームの旋回運動により、日付車を１日又は２日先送りするためのシフトシーソーの旋回角度を決定する装置を、切り替え可能である。
【発明の概要】
【発明が解決しようとする課題】
【０００２】
本発明の課題は、上述した形式の時計の機械式年間カレンダーを、簡単な構成の部品を、点数を低減させて備えた構成とすることである。
【課題を解決するための手段】
【０００３】
この課題は、本発明により、月末ディスクの円形アウトラインが、半径方向内側に向けられたフィーラーギャップを備えることにより解決される。フィーラーギャップは、周方向に一定の深度で日付車の２歯分に亘って延在し、その後日付車の所定の回転方向とは逆方向に、ランプ状に円形アウトラインへ立ち上がる。
【０００４】
このような構成とすれば、機械式年間カレンダーの部品が簡単な構成となる。こうした部品は容易に製造可能でもある。このように製造が容易であることにより、部品の精度が高まり、かつそれにより、機械式年間カレンダーの機能の信頼性が高まる。
【０００５】
月の３１日目において、フィーラーアームのフィーラー先端は、月末ディスクのフィーラーギャップのランプ状の立ち上がりの上に位置する。そのため、月末ディスクと堅固に接続された日付車１０の所定の回転方向とは逆方向に向けられたモーメントが、月末ディスクに対して発生する。これによる日付車の戻り回転を回避するために、戻りロックばねは、日付車において、日付車の所定の回転方向とは逆方向の回転をロックできる。
【０００６】
容易に製造可能であり、確実な機能性を有する構造部品は、以下のようにして達成される。つまり、日付車の１日又は２日の先送りを決定する装置は、月センシングディスクを備える。月センシングディスクは、１年毎に１２ステップで一回転するよう回転可能に駆動可能である。月センシングディスクの半径方向に周を描く月アウトラインは、長い月及び短い月に応じて、より大きな直径及びより小さな直径を備える。シフトシーソーのフィーラーは、ばね力で月アウトラインに対して付勢され、及び２４時間毎に一度、月アウトラインから外れることが可能である。
【０００７】
この場合、フィーラーアームは月シフト爪を備えることができる。月シフト爪は、同心で月センシングディスクに接続され１２個の歯を備える月ドライブの歯間に、係合可能である。
【０００８】
フィーラーアームのフィーラー先端がフィーラーギャップに落ち込むと、月ドライブの切り替えられるべき歯がジャンプバックされる。続いてフィーラー先端が、フィーラーギャップのランプ状の立ち上がりを摺動して上がると、月ドライブは１歯分だけ先送りされる。
【０００９】
好適には月デテントが、内側に向かって、ばね弾性的に月ドライブの歯間に係合し、及び月ドライブの先送りの後に、月ドライブの正しい新たな目標位置に達するまでに、依然として欠落している経路の切り替えを完了する。
【００１０】
シフトシーソーは、フィーラーカムを備えることができる。フィーラーカムは、フィーラー先端が月末ディスクの円形アウトラインに当接すると、フィーラーアームのストッパに当接する。それによりフィーラーが、月センシングディスクの月アウトラインの小直径である短い月の領域に半径方向に沈むことが妨げられている。フィーラー先端がフィーラーギャップに沈められている場合、フィーラーカムはストッパとは当接せず、及びフィーラーは、月センシングディスクの月アウトラインの小直径である短い月の領域に半径方向に沈むことが可能である。
【００１１】
これにより、シフトシーソーのフィーラーは、フィーラー先端もがフィーラーギャップに沈められている場合にのみ短い月の領域に沈むことが可能である。
【００１２】
本発明の実施形態は、以下に図面に基づいて詳述される。
【図面の簡単な説明】
【００１３】
【図１】第１切り替え位置にある時計の機械式年間カレンダーの概略図である。
【図２】図１の時計の機械式年間カレンダーが、第２切り替え位置にある概略図である。
【図３】図１の時計の機械式年間カレンダーが、第３切り替え位置にある概略図である。
【図４】図１の時計の機械式年間カレンダーが、第４切り替え位置にある概略図である。
【図５】図１の時計の機械式年間カレンダーが、第５切り替え位置にある概略図である。
【発明を実施するための形態】
【００１４】
時車１は、図示されていないムーブメントによって１２時間毎に一回転だけ回転方向「ａ」に回転可能に駆動されて、２４時車２を２４時間ごとに一回転だけ駆動する。２４時車２は、軸方向に突出するピン３を備える。ピン３は、２４時車２が回転すると、２４時車２の回転軸に対して略半径方向に延在する２４時車２に配置されたシフトフィンガ４を連行する。
【００１５】
このシフトフィンガ４は、１日に一度、日付を先送りする。シフトフィンガ４が、２４時車２の旋回軸に対して平行なシーソー旋回軸２８周りに旋回可能なシフトシーソー５のシフトアーム２５に接触すると、日付の切り替えが開始される。
【００１６】
時車１が回転方向「ａ」とは逆方向に回転し、それによって２４時車２を駆動させると、シフトフィンガ４のシフトアーム２５に対する作用部分が、ばね弾性的に撓む。そのためこの誤った回転方向では、シフトシーソーは旋回しない。
【００１７】
シフトフィンガ４及びシフトシーソー５のシフトアーム２５が接触した後、シフトシーソー５は、予め付勢されたシフトシーソーばね６の力に抗して、シフトシーソー５の基本位置から旋回される。シフトシーソー５は、シーソー旋回軸２８に対して半径方向に間隔をおいて、フィーラー２６を備える。シフトシーソー５は、シフトシーソーばね６により、シーソー旋回軸２８に対して平行な月回転軸３１周りに回転可能である月センシングディスク７の、半径方向で周を描く月アウトライン２９に、常に押し付けられる。１年毎に１２ステップで、時計周りに回転可能に駆動可能な月センシングディスク７における、半径方向で周を描く月アウトライン２９は、半径方向に周を描いて、３１日の長い月に対して大直径を、及び３０日の短い月に対して小直径２７を備える。
【００１８】
シフトシーソー５には、シーソー旋回軸２８から半径方向に間隔をおいて、このシーソー旋回軸２８に対して平行なシフト爪軸３２周りに旋回可能な爪アーム３３が配置されている。爪アーム３３は、爪アーム３３の一方の自由端に、シフト爪８を備える。
【００１９】
爪アーム３３は、予め付勢されたシフト爪ばね９から、爪アーム３３のシフト爪８と共に、３１個の歯を備える日付車１０の歯部に係合するよう作用を受ける。
【００２０】
日付切り替えの間、シフト爪８はシフトシーソー５により、日付車１０の接線方向に引っ張られる。これによりシフト爪８は、日付車１０の歯部を引っ張り、及び日付車１０を所定の回転方向、つまり反時計周に回転運動させる。
【００２１】
この回転運動により、日付車１０から３１個の歯を備える表示車１２への駆動系を構成する中間歯車１１もが、回転運動させられる。
【００２２】
戻りロックばね１３は、日付車１０の歯間にばね弾性的に係合し、及び日付車１０の駆動方向とは逆方向の回転をロックする。表示車デテント１４は、表示車１２の歯間に、ばね弾性的に係合する。上述の場合、戻りロックばね１３及び表示車デテント１４の双方が外され、その後これらは、各隣接する歯間に再度係合する。
【００２３】
表示車１２上には、図示されていない針が配置されている。針は、同様に図示されていない３１分割部を備える日付スケールにおいて、日付自体に沿って移動する。
【００２４】
日付切り替えの終了後、シフトアーム２５は、再度シフトフィンガ４から落ちる。この場合、ばね付勢されたシフト爪８は、日付車１０の次の歯の後ろに係合する。次の歯は、次いで次回の日付切り替えの際に、再度日付車１０の接線方向に引っ張られる。
【００２５】
月センシングディスク７は、月全体に亘ってシフトシーソー５の経路を制限する。そのため、常に１つの歯だけ、従って１日だけが、２４時間毎に切り替えられる。
【００２６】
月末ディスク１６は、日付車１０に対して同心で、日付車１０と堅固に接続されている。月末ディスク１６は、半径方向で周を描く円形アウトライン３４を備える。円形アウトライン３４には、第２旋回軸３５周りに旋回可能に支承されたフィーラーアーム１８のフィーラー先端１７が、予めばね弾性的に付勢を受けた状態で接触する。
【００２７】
円形アウトライン３４は、月の３０日目以降の月の日付の位置に、半径方向内側に向けられたフィーラーギャップ１５を備える。フィーラーギャップ１５は、日付車１０の所定の回転方向とは逆方向に、先ず２分割部に対応する２日に亘って一定の深度で延在し、次いでランプ状の立ち上がり３０で再度円形アウトライン３４へ立ち上がる。
【００２８】
各月の３０日目において、月末ディスク１６のフィーラーギャップ１５は、フィーラーアーム１８のフィーラー先端１７の下に位置する（図２参照）。予め付勢されたフィーラーばね１９のばね力により、フィーラーアーム１８は、月末ディスク１６のフィーラーギャップ１５に押圧される。１２個の歯を備える月ドライブ２２は、同心で月センシングディスク７と接続されている。
【００２９】
フィーラー先端１７がフィーラーギャップ１５に落ちることにより、フィーラーアーム１８における、月ドライブ２２と係合する月シフト爪２０は、１歯分だけ更に移動されている。月シフト爪２０は、ばねアーム２１により、常に月ドライブ２２の歯部に押圧されている。
【００３０】
月の３１日目において、フィーラーアーム１８のフィーラー先端１７は、月末ディスク１６のフィーラーギャップ１５のランプ状の立ち上がり３０の上に位置する（図３参照）。これにより、反対駆動モーメントが日付車１０に対して発生する。戻りロックばね１３は、月末ディスク１６が、所定の回転方向とは逆方向に戻り回転可能となるのを防止する。
【００３１】
当該の月の３０日目から３１日目への切り替えの際、月シフト爪２０の月ドライブ２２の歯２３に対する空き経路が低減されていた。日付車１０が、夜間に３１日目から翌月の１日目に切り替えられると、日付車１０は、フィーラーアーム１８が更に外されるように回転する。この場合、月シフト爪２０が月ドライブ２２の歯２３を押す。これにより、月ドライブ２２が回転させられる。この場合、半径方向でばね弾性的に月ドライブの歯間に係合する月デテント２４は、外され、及び月ドライブ２２の依然として欠落している経路の切り替えを完了する。これにより、１月分だけが先送りされた。月が先送りされる間、シフトシーソー５は、日付を切り替えるために外される。そのためシフトシーソー５が、ばね弾性的に月センシングディスク７の月アウトライン２９上に載ることはない。従って、月を切り替えるために克服するのは、月デテント２４の、ばね力のみである。
【００３２】
短い月の１日目から２９日目までは、シフトシーソー５は、常に日付車１０の１つの歯のみの後ろに係合可能であり、従って１歯分だけを先送り可能でもある（図４参照）。これは、フィーラーアーム１８のフィーラー先端１７が、ばね付勢された状態で、月末ディスク１６の円形アウトライン３４に当接しているためである。実はシフトシーソー５には、シフトシーソー５のフィーラー２６が、ばね付勢された状態で、月センシングディスク７の月アウトライン２９の小直径２７上に衝突する可能性があろう。これは、先ずシフトシーソー５のフィーラーカム３６が、フィーラーアーム１８のストッパ３７に当接することにより、防止される。これにより、フィーラー２６は月アウトライン２９の小直径２７上に衝突不可能となる。
【００３３】
短い月の３０日目に、フィーラーアーム１８のフィーラー先端１７は、月末ディスク１６のフィーラーギャップ１５に落ちる（図５参照）。フィーラーアーム１８のフィーラー先端１７は、更に深く走ることが可能である。そのため今度はシフトシーソー５が、シフトシーソー５のフィーラー２６で、月センシングディスク７の月アウトライン２９の小直径２７上に落ちることが可能である。これによりシフト爪８は、日付車１０において、今や１つのみの歯でなく、２つの歯をジャンプバック可能である。これによりシフト爪８は、今度は２歯分だけ日付車１０を回転可能であり、従って月の３０日目から月の１日目へ切り替え可能である。
【符号の説明】
【００３４】
１  時車
２  ２４時車
３  ピン
４  シフトフィンガ
５  シフトシーソー
６  シフトシーソーばね
７  月センシングディスク
８  シフト爪
９  シフト爪ばね
１０  日付車
１１  中間車
１２  表示車
１３  戻りロックばね
１４  表示車デテント
１５  フィーラーギャップ
１６  月末ディスク
１７  フィーラー先端
１８  フィーラーアーム
１９  フィーラーばね
２０  月シフト爪
２１  ばねアーム
２２  月ドライブ
２３  歯
２４  月デテント
２５  シフトアーム
２６  フィーラー
２７  小直径
２８  シーソー旋回軸
２９  月アウトライン
３０  ランプ状の立ち上がり
３１  月回転軸
３２  シフト爪軸
３３  爪アーム
３４  円形アウトライン
３５  第２旋回軸
３６  フィーラーカム
３７  ストッパ
【図１】
2018136302.tif 000003
【図２】
2018136302.tif 000004
【図３】
2018136302.tif 000005
【図４】
2018136302.tif 000006
【図５】
2018136302.tif 000007
【外国語明細書】
2018136302000001.pdf